(57)【要約】【課題】  画像の品質を向上させるとともに、画像をレンズと正確な位置関係に印刷することができる印刷媒体を提供する。【解決手段】  画像が印刷される印刷面２１と、レンズ３１が配列された面とを有し、配列されたレンズ３１を通して印刷画像を観察する印刷媒体１０であって、印刷時に、配列されたレンズ３１の少なくとも一部が印刷面２１と同じ側に配置されることを特徴とする。【選択図】              図１
2005196153.tif 000002
【特許請求の範囲】
【請求項１】
画像が印刷される印刷面と、レンズが配列された面とを有し、前記配列されたレンズを通して印刷画像を観察する印刷媒体であって、
印刷時に、前記配列されたレンズの少なくとも一部が前記印刷面と同じ側に配置されることを特徴とする印刷媒体。
【請求項２】
画像が印刷される印刷面を有する印刷基材と、一方の面にレンズが配列されたレンズシートと、を有し、
前記印刷基材の前記印刷面が設けられた面と、前記レンズシートの他方の面とが、少なくとも一部の領域で互いに固定され、
前記印刷面に画像を印刷するときに、
前記印刷基材の少なくとも一部の領域と、前記レンズシートの少なくとも一部の領域とを相対移動させ、前記印刷面を露出させることを特徴とする印刷媒体。
【請求項３】
前記印刷基材または前記レンズシートの少なくとも一方に、前記印刷基材および前記レンズシートを相対移動させ、前記印刷面を露出させる回動部が形成されていることを特徴とする請求項２記載の印刷媒体。
【請求項４】
前記回動部が、前記レンズシートの残りの領域に形成されるとともに、前記レンズシートを前記一方の面側に折り曲げる折り返し部であることを特徴とする請求項３記載の印刷媒体。
【請求項５】
前記レンズシートの残りの領域が、少なくとも１つの切り込みにより分割され、分割された一部のレンズシートが、前記印刷基材と固定されていることを特徴とする請求項２から４のいずれかに記載の印刷媒体。
【請求項６】
前記一部の領域における、前記印刷基材と前記レンズシートとの固定は、固定部材によることを特徴とする請求項２から５のいずれかに記載の印刷媒体。
【請求項７】
前記印刷基材と前記一部のレンズシートとの固定は、固定部材によることを特徴とする請求項２から５のいずれかに記載の印刷媒体。
【請求項８】
前記レンズシートの前記他方の面には、固定部材が備えられていることを特徴とする請求項２から７のいずれかに記載の印刷媒体。
【請求項９】
前記印刷基材の前記印刷面の縁部には、固定部材が備えられていることを特徴とする請求項２から７のいずれかに記載の印刷媒体。
【請求項１０】
前記固定部材が、糊または両面テープであることを特徴とする請求項６から９のいずれかに記載の印刷媒体。
【請求項１１】
前記一部の領域における、前記印刷基材と前記レンズシートとの貼り合わせは、ピンによることを特徴とする請求項２から１０のいずれかに記載の印刷媒体。
【発明の詳細な説明】
【技術分野】
【０００１】
本発明は、印刷媒体に関する。
【背景技術】
【０００２】
従来、立体画像として、複数の方向から撮影された複数の画像がストライプ状に合成されてなり、表面に複数の柱型非球面レンズが配列されたレンチキュラーシート（印刷メディアすなわち印刷媒体）の裏面に記録されている視差画像を、レンチキュラーシートの表面側からレンチキュラーシートの柱型非球面レンズを透過して左右別々の目でそれぞれ観察することにより、立体視する立体画像が広く知られている。
また、上述した立体画像の他にも、複数の異なる画像を視差画像に変換して観察方向に応じて記録すると、観察する方向により、異なる画像を観察することができる。
また、上記のレンチキュラーシートの他に、平面状に配列された複数の凸型レンズ（蝿の目レンズ）を利用したインテグラルフォトグラフィーと呼ばれる技術を用いて得られる立体画像もある。
【０００３】
これらの立体画像は、柱型非球面レンズまたは蝿の目レンズからなる複数のレンズの各々に対応する位置に、視差画像が配置されていることによって得られるものであり、両眼に別々の色を配した眼鏡などの特殊眼鏡を透過させて見る必要がないという利点を有するものである。
しかしながら、上記複数のレンズに対する視差画像の位置関係が正確でないと左右の目が異なる立体画像の視差画像を観察することになり、正確な立体画像や、画像を観察できなくなる恐れがあった。そのため、複数のレンズに対して視差画像を正確な位置関係に印刷するための技術が提案されている（例えば、特許文献１および２参照。）。
【特許文献１】特開平７−２８１３２７号公報
【特許文献２】特許第３４２０３９４号公報
【発明の開示】
【発明が解決しようとする課題】
【０００４】
上記特許文献１においては、レンチキュラーレンズの背面を、柱型非球面レンズ（以後、レンチキュラーレンズと表記する）の配置ピッチと同じピッチで凸曲面状に形成し、同じく背面にインク吸収層を形成していた。つまり、レンチキュラーレンズのインク吸収層に視差画像を印刷することと、凸曲面の位置をセンサで検出することにより、複数のレンズに対する視差画像の位置がずれる要因を排除し、正確な位置関係に印刷していた。
【０００５】
また、上記特許文献２においても、同様に、レンチキュラーレンズの背面に、レンチキュラーレンズの配置ピッチと同じピッチでリブを形成し、同じく背面にインクを吸収するインクジェット記録層を形成していた。つまり、レンチキュラーレンズのインクジェット記録層に視差画像を印刷することと、リブの位置をセンサで検出することにより、複数のレンズに対する視差画像の位置がずれる要因を排除し、正確な位置関係に印刷していた。
【０００６】
しかし、レンチキュラーシートへ直接印刷する方法では、樹脂などからなるレンチキュラーシートにインク吸収層やインクジェット記録層などのコーティングを施しても、印刷されたインクのインク吸収層などへの吸収は十分でなく、視差画像の品質は十分とは言い難いという問題があった。
【０００７】
また、視差画像の品質を確保するために、被印刷対象を印刷用の紙などにすると、複数のレンズに対する視差画像の位置が正確でなくなり、正確な立体画像や画像を観察できなくなる恐れがあった。
【０００８】
本発明は、上記の課題を解決するためになされたものであって、視差画像の品質を向上させるとともに、視差画像をレンズと正確な位置関係に印刷することができる印刷媒体を提供することを目的とする。
【課題を解決するための手段】
【０００９】
上記目的を達成するために、本発明の第１の印刷媒体は、画像が印刷される印刷面と、レンズが配列された面とを有し、配列されたレンズを通して印刷画像を観察する印刷媒体であって、印刷時に、配列されたレンズの少なくとも一部が印刷面と同じ側に配置されることを特徴とする。
【００１０】
すなわち、本発明の第１の印刷媒体は、印刷面と同じ側に配置されたレンズの形状、配置間隔などに基づいて、画像を印刷することができる。そのため、画像をレンズに対して正確な位置に印刷することができる。そして印刷後には、レンズを通して正確な位置に印刷された画像を観察することができる。さらに、印刷された画像の上にレンズが配置された場合には、印刷された画像をレンズにより保護でき、品質の向上を図ることができる。また、印刷面以外の面にレンズが配置された場合には、印刷面上には何も配置されていないので、印刷された画像を保護シートなどの保護部材で保護しやすくなり、品質の向上が図りやすい。
【００１１】
上記目的を達成するために、本発明の第２の印刷媒体は、画像が印刷される印刷面を有する印刷基材と、一方の面にレンズが配列されたレンズシートと、を有し、印刷基材の印刷面が設けられた面と、レンズシートの他方の面とが、少なくとも一部の領域で互いに固定され、印刷面に画像を印刷するときに、印刷基材の少なくとも一部の領域と、レンズシートの少なくとも一部の領域と、の少なくとも一方を相対移動させ、印刷面を露出させることが望ましい。
【００１２】
すなわち、本発明の第２の印刷媒体は、印刷面を有する印刷基材とレンズシートとをそれぞれ備えているため、印刷面への印刷インクの吸収を確保しやすく、印刷された画像の品質を容易に向上させることができる。
また、印刷基材に画像を印刷する時には、印刷基材の少なくとも一部の領域と、レンズシートの少なくとも一部の領域と、を相対移動させ、印刷面を露出しているため、レンズシートと干渉することなく、印刷面に画像を印刷することができる。
また、印刷基材とレンズシートとは、一部の領域で固定されているので、その位置関係は画像の印刷前後で変化することがない。さらに、露出していた印刷面を、レンズシートで再び覆っても印刷基材とレンズシートとの相対位置関係は変化しない。その結果、画像をレンズと正確な位置関係に印刷することができる。
【００１３】
上記の構成を実現するために、より具体的には、印刷基材またはレンズシートの少なくとも一方に、印刷基材およびレンズシートを相対移動させ、印刷面を露出させる回動部が形成されていることが望ましい。
この構成によれば、印刷基材またはレンズシートの少なくとも一方に回動部が形成されているため、回動部から印刷基材およびレンズシートを相対移動させることができ、より確実に印刷面を露出させることができる。
【００１４】
上記の構成を実現するために、より具体的には、回動部が、レンズシートの残りの領域に形成されるとともに、レンズシートを一方の面側に折り曲げる折り返し部であることが望ましい。
この構成によれば、レンズシートの残りの領域に形成された折り返し部からレンズシートを一方の面側に折り曲げ可能としている。そのため、印刷基材に画像を印刷する時には、レンズシートを折り曲げて印刷面を露出し、画像を印刷することができる。また、印刷基材とレンズシートとは、一部の領域で貼り合わされているので、その位置関係は画像の印刷前後で変化することがない。さらに、折り曲げていたレンズシートを印刷基材に貼り合せても位置関係は変化しない。その結果、画像をレンズと正確な位置関係に印刷することができる。
【００１５】
上記の構成を実現するために、より具体的には、レンズシートの残りの領域が、少なくとも１つの切り込みにより分割され、分割された一部のレンズシートが、印刷基材と固定されていることが望ましい。
この構成によれば、一部のレンズシートが印刷基材と予め固定されているので、上記印刷面に画像を印刷する時に、一部のレンズシートのレンズ配列に基づいて画像の印刷位置を決めることができる。その結果、画像の印刷位置とレンズの位置とをより正確にすることができる。
【００１６】
上記の構成を実現するために、より具体的には、一部の領域における、印刷基材とレンズシートとの固定は、固定部材により固定されてもよい。
この構成によれば、一部の領域における、印刷基材とレンズシートとの固定を、固定部材を用いることにより、容易に印刷基材とレンズシートとを固定することができる。
【００１７】
上記の構成を実現するために、より具体的には、印刷基材と一部のレンズシートとの固定は、固定部材により固定されてもよい。
この構成によれば、印刷基材と一部のレンズシートとの固定を、固定部材を用いることにより、容易に印刷基材と一部のレンズシートとを固定することができる。
【００１８】
上記の構成を実現するために、より具体的には、レンズシートの他方の面には、固定部材が備えられていてもよい。
この構成によれば、レンズシートの他方の面に、固定部材を備えることにより、印刷基材とレンズシートとの固定を容易に行うことができる。
また、印刷基材の印刷面には、固定部材を備えないため、印刷面へ印刷される画像の品質が低下することを防止することができる。
【００１９】
上記の構成を実現するために、より具体的には、印刷基材の印刷面の縁部には、固定部材が備えられていてもよい。
この構成によれば、印刷基材の印刷面の縁部に、固定部材を備えることにより、印刷基材とレンズシートとの固定を容易に行うことができる。
また、固定部材が備えられているのは、印刷面の縁部のみであるので、大半の画像が印刷される印刷面の中央部へは固定部材の影響がなく、画像の品質が低下することを防止することができる。
【００２０】
上記の構成を実現するために、より具体的には、固定部材が、糊または両面テープであってもよい。
この構成によれば、固定部材として糊または両面テープを用いることにより、容易に印刷基材とレンズシートとを固定することができる。
【００２１】
上記の構成を実現するために、より具体的には、一部の領域における、印刷基材とレンズシートとの貼り合わせは、ピンにより貼り合わせられてもよい。
この構成によれば、一部の領域における、印刷基材とレンズシートとの貼り合わせを、ピンを用いて貼り合わせているため、印刷基材とレンズシートとをより強固に貼り合せることができる。  
【発明を実施するための最良の形態】
【００２２】
以下、本発明に係るレンチキュラーシートについて図１から図５を参照して説明する。
図１は、本発明に係るレンチキュラーシートの分解斜視図である。
レンチキュラーシート（印刷媒体）１０は、図１に示すように示すように、視差画像が印刷される印刷用紙（印刷基材）２０と、柱型非球面レンズ（シリンドリカルレンズ）であるレンチキュラーレンズ（レンズ）３１が複数形成されたレンズシート３０とから概略構成されている。
【００２３】
印刷用紙２０は、インクにより視差画像が印刷される印刷面２１が形成されている。印刷用紙２０としては、フォト用紙や、ＯＨＰフィルムなど、公知の印刷に用いるシートを用いることができる。
【００２４】
図２は、本発明に係るレンズシートの平面図である。
レンズシート３０は、図１および図２に示すように、一方の面の略全面に設けられた複数のレンチキュラーレンズ３１の長手軸線方向（図１における矢印Ａ方向）が平行かつ等間隔に配列され、一辺の近傍領域には、レンチキュラーレンズ３１が形成されていない貼り付け部（一部の領域）３２が形成されている。レンチキュラーレンズ３１が形成されている領域は、レンチキュラーレンズ３１に対して略直角方向に形成された２本の切り込み３３により、中央の観測用レンズシート３４と、観測用レンズシート３４の両側の検出用レンズシート（一部のレンズシート）３５と、に分けられている。そのため、観測用レンズシート３４および検出用レンズシート３５におけるレンチキュラーレンズ３１の形状、配置位置および配置ピッチは、全く同一となっている。
なお、切り込み３３は上述のように２本形成されてもよいし、１本だけ形成してもよい。この場合、観測用レンズシート３４の面積を広くすることができ、レンチキュラーシート１０に対する視差画像の印刷可能領域を広くすることができる。
【００２５】
貼り付け部３２と観測用レンズシート３４との間には、観測用レンズシート３４をレンチキュラーレンズ３１側に折り曲げるために、レンチキュラーレンズ３１と略平行な折り返し部（回動部）３６が形成されている。
なお、貼り付け部３２の一方の面は、上述のようにレンチキュラーレンズ３１が形成されていなくてもよいし、レンチキュラーレンズ３１が形成されていてもよい。この場合、レンチキュラーレンズ３１の製造が容易となりレンチキュラーシート１０の製造が容易となる。
【００２６】
レンズシート３０のレンチキュラーレンズ３１が形成されていない他方の面は、印刷用紙２０と密着しやすいように平面状に形成され、印刷用紙２０に接着するための両面テープ（固定部材）３７が設けられている。
なお、上述のようにレンズシート３０に両面テープ３７を設けて、印刷用紙２０と貼り合わせてもよいし、両面テープ３７の代わりに糊を設けて印刷用紙２０との貼り合わせてもよい。また、レンズシート３０に両面テープ３７を設ける代わりに、図４に示すように、印刷用紙２０の縁辺に両面テープ３７を設けてもよいし、同じく印刷用紙２０の縁辺に糊を設けてもよい。糊または両面テープが備えられているのは、印刷面の縁部のみであるので、大半の画像が印刷される印刷面の中央部へは糊または両面テープの影響がなく、画像の品質が低下することを防止することができる。
【００２７】
図３は、本発明に係るレンチキュラーシートの斜視図である。
印刷用紙２０は、印刷面２１がレンズシート３０と対向するように配置され、レンズシート３０は、レンチキュラーレンズ３１が形成されていない他方の面が印刷用紙２０と対向するように配置されている。
印刷用紙２０とレンズシート３０とは、図１に示すように、貼り付け部３２および検出用レンズシート３５において貼り合わせられている。観測用レンズシート３４は、図３に示すように、折り返し部３６からレンチキュラーレンズ３１側へ折り曲げられた状態とされ、印刷用紙２０の印刷面２１の中央部が露出されている。
【００２８】
次に、上記の構成からなるレンチキュラーシート１０における作用について説明する。
図５は、本発明に係るレンチキュラーシートの印刷方法を説明する断面図である。
上述したレンチキュラーシート１０への印刷は下記に示すような手順に基づいて行われる。まず、レンチキュラーシート１０は、図１に示すように、レンズシート３０の観測用レンズシート３４をレンチキュラーレンズ３１側に折り曲げられ、印刷面２１を露出した状態で、図５に示すように、例えばインクジェット法を用いた印刷装置４０にセットされる。
その後、印刷装置４０は、印刷装置４０に備えられたセンサ４１を用いて、印刷面２１の両側に配置された検出用レンズシート３５の少なくとも一方の検出用レンズシート３５のレンチキュラーレンズ３１の配置位置を検出する。
【００２９】
印刷装置４０は、センサ４１により検出したレンチキュラーレンズ３１の配置位置情報に基づいて、印刷面２１に印刷用インクを吐出して視差画像を印刷する。
印刷面２１に視差画像を印刷すると、レンチキュラーシート１０を印刷装置４０から取り外す。そして、レンチキュラーレンズ３１側に折り曲げられていたレンズシート３０の観測用レンズシート３４を、伸ばして印刷面２１とレンズシート３０の観測用レンズシート３４とを、レンズシート３０に設けられている両面テープ３７で貼り合わせ、レンチキュラーシート１０への印刷が終了する。
【００３０】
上記の構成によれば、画像を印刷するための印刷用紙２０とレンズシート３０とをそれぞれ備えているため、印刷用紙２０の印刷面２１における印刷用インクの吸収を確保しやすく、レンチキュラーシート１０に印刷された画像の品質を容易に向上させることができる。
【００３１】
また、印刷用紙２０とレンズシート３０とを貼り付け部３２で貼り合わせ、折り返し部３６から観測用レンズシート３４をレンチキュラーレンズ３１側に折り曲げ可能としている。そのため、印刷用紙２０に視差画像を印刷する時には、図３に示すように、観測用レンズシート３４を折り曲げて印刷面２１を露出し、印刷面２１に視差画像を印刷することができる。
また、印刷用紙２０とレンズシート３０とは、貼り付け部３２で貼り合わされているので、その位置関係は視差画像の印刷前後で変化することがない。さらに、観測用レンズシート３４を印刷用紙２０に貼り合せても位置関係は変化しない。その結果、視差画像をレンズシート３０と正確な位置関係に印刷することができる。
【００３２】
検出用レンズシート３５が印刷用紙２０と予め貼り合わされているので、印刷面２１に視差画像を印刷する時に、検出用レンズシート３５のレンズ配列に基づいて視差画像の印刷位置を決めることができる。その結果、視差画像の印刷位置とレンチキュラーレンズ３１の位置とをより正確にすることができる。
【００３３】
貼り付け部３２における、印刷用紙２０とレンズシート３０との貼り合わせを、糊付けまたは両面テープ３７を用いることにより、容易に印刷用紙２０とレンズシート３０とを張り合わせることができる。また、印刷用紙２０と検出用レンズシート３５との貼り合わせを、糊付けまたは両面テープ３７を用いることにより、容易に印刷用紙２０と検出用レンズシート３５とを張り合わせることができる。
【００３４】
レンズシート３０のレンチキュラーレンズ３１が形成されていない面に、糊または両面テープ３７を備えることにより、印刷用紙２０とレンズシート３０との貼り合わせを容易に行うことができる。また、印刷用紙２０の印刷面２１には、糊または両面テープ３７を備えないため、印刷面２１へ印刷される画像の品質が低下することを防止することができる。
【００３５】
印刷面２１の両側に検出用レンズシート３５が配置されているので、印刷面２１に視差画像を印刷するときに、両側の検出用レンズシート３５のどちらからでもレンチキュラーレンズ３１の配置位置および配置ピッチを検出することができる。そのため、両方の検出用レンズシート３５から印刷を開始することができ、印刷速度を向上させることができる。
【００３６】
なお、貼り合わせ部３２における印刷用紙２０とレンズシート３０との貼り合わせは、上述のように糊または両面テープにより貼り合わせられてもよいし、図６に示すように、貼り合わせ部３２において、ピン５１を用いて印刷用紙２０とレンズシート３０とを貼り合せてもよい。この場合、印刷用紙２０とレンズシート３０との貼り合わせ強度が向上し、印刷用紙２０に視差画像を印刷し終わるまでに、印刷用紙２０とレンズシート３０とが剥がれるのを効果的に防止することができる。
【００３７】
なお、本発明の技術範囲は上記実施形態に限定されるものではなく、本発明の趣旨を逸脱しない範囲において種々の変更を加えることが可能である。
例えば、上記の実施の形態においては、レンズシート３０としてレンチキュラーレンズ３１を配置した構成に適応して説明したが、このレンチキュラーレンズ３１を配置したレンズシート３０に限られることなく、蝿の目レンズをレンズシートとして用いるなど、その他各種のレンズを用いたレンズシートに適応することができるものである。
【図面の簡単な説明】
【００３８】
【図１】本発明によるレンチキュラーシートの一実施形態を示す分解斜視図である。
【図２】同、レンチキュラーシートのレンズシートを示す平面図である。
【図３】同、レンチキュラーシートの一実施形態を示す斜視図である。
【図４】同、レンチキュラーシートの実施形態の変形例を示す分解斜視図である。
【図５】同、レンチキュラーシートの作用を説明する断面図である。
【図６】同、レンチキュラーシートの別の実施形態を示す分解斜視図である。
【符号の説明】
【００３９】
１０・・・レンチキュラーシート（印刷媒体）、  ２０・・・印刷用紙（印刷基材）、  ２１・・・印刷面、  ３０・・・レンズシート、  ３１・・・レンチキュラーレンズ（レンズ）、  ３２・・・貼り付け部（一部の領域）、  ３３・・・切り込み  ３５・・・検出用レンズシート（一部のレンズシート）、  ３６・・・折り返し部（回動部）、  ３７・・・両面テープ（固定部材）、  ５１・・・ピン
【図１】
2005196153.tif 000003
【図２】
2005196153.tif 000004
【図３】
2005196153.tif 000005
【図４】
2005196153.tif 000006
【図５】
2005196153.tif 000007
【図６】
2005196153.tif 000008